(57)【要約】【課題】各機種間での互換性を確保し、連続した記録を行いながら、任意のタイミングの頭出しを可能にし、更には、複数のファイルを連続して再生する。【解決手段】制御手段１０１は、バッファメモリ１５０に蓄積された連続して入力されるディジタルデータについて、操作入力手段１１０からの分割操作のタイミングに応じて分割されたファイルとなるように、バッファメモリ１５０に入力されるよりも高速の書き込み速度によって記憶手段１６０に蓄積させるための制御を記録時に行うと共に、記憶手段１６０に蓄積された複数のファイルのディジタルデータが連続した状態のディジタルデータとして外部に出力されるように、バッファメモリ１５０から外部に出力されるよりも高速の読み出し速度によって記憶手段１６０からバッファメモリ１５０にディジタルデータを読み出すための制御を再生時に行う、ことを特徴とする。【選択図】  図１
2004319056.tif 000002
【特許請求の範囲】
【請求項１】
入力される信号をディジタルデータとしてファイル形式で記録する記録装置であって、
入力される信号をディジタルデータとして一時的に蓄積するバッファメモリと、
ディジタルデータをファイルとして蓄積する記憶手段と、
前記バッファメモリに一時的に蓄積されたディジタルデータをファイルとして前記記憶手段に蓄積させるための制御を行う制御手段と、
ディジタルデータを任意のタイミングで区切るための分割の入力がなされる操作入力手段と、を備え、
前記制御手段は、前記バッファメモリに蓄積された連続して入力されるディジタルデータについて、前記操作入力手段からの分割操作のタイミングに応じて分割されたファイルとなるように、前記バッファメモリに入力されるよりも高速の書き込み速度によって前記記憶手段に蓄積させるように制御を行う、
ことを特徴とする記録装置。
【請求項２】
記憶手段に記録されたファイル形式のディジタルデータを再生出力する再生装置であって、
ディジタルデータを複数のファイルとして蓄積する記憶手段と、
前記記憶手段から読み出されたディジタルデータを一時的に蓄積するバッファメモリと、
前記記憶手段に蓄積された複数のファイル形式のディジタルデータを前記バッファメモリに一時的に蓄積させて所定の速度で外部に出力させるための制御を行う制御手段と、を備え、
前記制御手段は、前記記憶手段に蓄積された複数のファイルのディジタルデータが連続した状態のディジタルデータとして外部に出力されるように、前記バッファメモリから外部に出力されるよりも高速の読み出し速度によって前記記憶手段から前記バッファメモリにディジタルデータを読み出すように制御を行う、
ことを特徴とする再生装置。
【請求項３】
入力される信号をディジタルデータとしてファイル形式で記録すると共に、記憶手段に記録されたファイル形式のディジタルデータを再生出力する記録再生装置であって、
ディジタルデータを複数のファイルとして蓄積する記憶手段と、
記録時には入力される信号をディジタルデータとして一時的に蓄積すると共に、再生時には前記記憶手段から読み出されたディジタルデータを一時的に蓄積するバッファメモリと、
記録時にディジタルデータを任意のタイミングで区切るための分割の入力がなされる操作入力手段と、
前記バッファメモリに一時的に蓄積されたディジタルデータをファイルとして前記記憶手段に蓄積させるための制御を記録時に行うと共に、前記記憶手段に蓄積された複数のファイル形式のディジタルデータを前記バッファメモリに一時的に蓄積させて所定の速度で外部に出力させるための制御を再生時に行う制御手段と、を備え、
前記制御手段は、前記バッファメモリに蓄積された連続して入力されるディジタルデータについて、前記操作入力手段からの分割操作のタイミングに応じて分割されたファイルとなるように、前記バッファメモリに入力されるよりも高速の書き込み速度によって前記記憶手段に蓄積させるための制御を記録時に行うと共に、前記記憶手段に蓄積された複数のファイルのディジタルデータが連続した状態のディジタルデータとして外部に出力されるように、前記バッファメモリから外部に出力されるよりも高速の読み出し速度によって前記記憶手段から前記バッファメモリにディジタルデータを読み出すように制御を再生時に行う、
ことを特徴とする記録再生装置。
【発明の詳細な説明】
【０００１】
【発明の属する技術分野】
本発明は、入力される信号をディジタルデータとして記録あるいは再生する記録装置及び再生装置並びに記録再生装置に関し、ディジタルデータを分割操作しそのタイミングに応じて任意のタイミングで分割され、そこで得られたファイルとして記録あるいは再生する記録装置及び再生装置並びに記録再生装置に関する。
【０００２】
【従来の技術】
入力される音声信号をディジタルデータとして記録する記録装置、記録されたディジタルデータを再生する再生装置、音声信号をディジタルデータとして記録・再生する記録再生装置が知られている。
このような記録装置及び再生装置並びに記録再生装置では、例えばボイスレコーダ等を使用する場合のように、操作者には再生時において特定のタイミングの頭出しを容易にしたいという要求がある。
尚、記録したディジタルデータの頭出しに関する技術は従来から多数が知られているが、例えば、以下の特許文献１に記載されたものが存在する。
【０００３】
【特許文献１】
特開平６−２０３５３９号公報（第１頁、図１）
【０００４】
【発明が解決しようとする課題】
ここでは、斯かる特許文献に示されている記録装置及び再生装置並びに記録再生装置では、再生時の頭出しを容易にするために、操作者が所望する任意のタイミングでの頭出しのためにマーク情報を付与することが行われている（インデックスマークファイル方式）。
そうして、この場合には、マーク情報を記録したインデックスファイルを別途作成する。
尚、このインデックスファイルは、ディジタルデータのファイル番号（ファイル名）、そのファイルに含まれるマーク情報の位置情報（再生開始位置からマーク情報までの時間情報）、その他の属性、などで構成されている。
【０００５】
しかし、斯かるインデックスマークファイル方式による手法では、互換性を有する機種間でしか、このマーク情報を利用した頭出しを実行できないという問題を有している。
又、インデックスマークファイル方式では頭出しの位置を示すマークの情報、つまりインデックスの数を設定することによって制限を課すので、その設定した数以上の頭出し位置を設けることはできないという問題がある。
【０００６】
他方、互換性を有しない機種間であっても確実に頭出しを実行できるようにするには、記録時において頭出しをしたい位置で記録を一時的に停止させておき、手動でファイル分割をしておくといった手法（手動ファイル分割方式）が知られている。
斯かる手法を用いることによって、頭出しをしたい位置が各ファイルの先頭位置になるため、どのような機種間であっても互換性の問題が生じないという利点がある。
【０００７】
しかしながら、斯かる手動ファイル分割方式では、頭出し位置において、直前ファイルの記録停止、該当ファイルの記録開始、といったファイルのクローズとファイルのオープンの処理のために一定の時間が必要となり、記録を連続して行えなくなるという問題が生じて来る。
すなわち、連続した信号が入力されている場合などでは、記録に欠落部分が生じるという問題がある。
更に、複数のファイルを連続して再生する場合には、次のファイルに移る瞬間に再生が途切れるといった問題も生じて来る。
【０００８】
従って、本発明は上記の事情に鑑みてなされたものであり、各機種間での互換性を確保し、且つ、連続した記録を行なうことが可能であり、更には、任意のタイミングでの頭出しを可能にする記録装置の実現を目的とする。
更に、本発明は、各機種間での互換性を確保し、且つ、任意のタイミングでの頭出しが可能であって、更には、複数のファイルを連続して再生することが可能な再生装置の実現を目的とする。
【０００９】
加えて、本発明は、各機種間での互換性を確保し、且つ、連続した記録を行なうことが可能であり、更には、任意のタイミングの頭出しが可能であって、しかも、複数のファイルを連続して再生することが可能な記録再生装置を実現することを目的とする。
【００１０】
【課題を解決するための手段】
上述した課題は、以下に述べるそれぞれの解決手段によって解決される。
（１）請求項１記載の発明は、入力される信号をディジタルデータとしてファイル形式で記録する記録装置であって、入力される信号をディジタルデータとして一時的に蓄積するバッファメモリと、ディジタルデータをファイルとして蓄積する記憶手段と、前記バッファメモリに一時的に蓄積されたディジタルデータをファイルとして前記記憶手段に蓄積させるための制御を行う制御手段と、ディジタルデータを任意のタイミングで区切るための分割の入力がなされる操作入力手段と、を備え、前記制御手段は、前記バッファメモリに蓄積された連続して入力されるディジタルデータについて、前記操作入力手段からの分割操作のタイミングに応じて分割されたファイルとなるように、前記バッファメモリに入力されるよりも高速の書き込み速度によって前記記憶手段に蓄積させるように制御を行う、ことを特徴とする記録装置である。
【００１１】
本発明である斯かる構成の記録装置では、バッファメモリに蓄積された連続して入力されるディジタルデータについて、バッファメモリに入力されるよりも高速の書き込み速度によって記憶手段に蓄積させるための制御を行いつつ、操作入力手段からの分割操作のタイミングに応じて分割されたファイルとなるように制御が行なわれる。
【００１２】
従って、バッファメモリに入力されるよりも高速の書き込み速度によって記憶手段に蓄積させるための制御を行い、分割操作のタイミングに応じて分割されたファイルとしているため、連続した信号が入力されている場合であっても、記録に欠落部分が生じることはない。
すなわち、頭出し位置において、直前ファイルの記録停止、該当ファイルの記録開始、といったファイルのクローズとファイルのオープンの処理のために一定の時間が必要ではあるが、ファイルのクローズとオープンの処理の時間とディジタルデータの書き込みに要する時間の和がディジタルデータを入力するのに要する時間よりも短くて済むので、記録が連続的に行なわれることについて何ら問題は生じない。
【００１３】
更に、斯かる構成の記録装置では、記録されたディジタルデータのうち所望のディジタルデータから頭出しをさせるために、インデックスマークファイル方式ではなくファイル分割の方式を採用しているため、各機種間での互換性が確保される。
又、例えばインデックスマークファイル方式では設定したインデックス数によって結果的に頭出しの数が制限されてその数を超えて頭出しをすることはできないが、ファイル分割の方式ではマーク情報の数による制限がないので必要な数だけ頭出しを設けることができる。
この結果、各機種間での互換性を確保し、連続した記録を行ないながら、任意のタイミングで任意の数だけ頭出しが可能な記録装置を実現できるようになる。
【００１４】
（２）請求項２記載の発明は、記憶手段に記録されたファイル形式のディジタルデータを再生出力する再生装置であって、ディジタルデータを複数のファイルとして蓄積する記憶手段と、前記記憶手段から読み出されたディジタルデータを一時的に蓄積するバッファメモリと、前記記憶手段に蓄積された複数のファイル形式のディジタルデータを前記バッファメモリに一時的に蓄積させて所定の速度で外部に出力するための制御を行う制御手段と、を備え、前記制御手段は、前記記憶手段に蓄積された複数のファイルのディジタルデータが連続した状態のディジタルデータとして外部に出力されるように、前記バッファメモリから外部に出力されるよりも高速の読み出し速度によって前記記憶手段から前記バッファメモリにディジタルデータを読み出すように制御を行う、ことを特徴とする記録装置である。
【００１５】
本発明の斯かる構成の再生装置では、バッファメモリから外部に出力されるよりも高速の読み出し速度によって記憶手段からバッファメモリにディジタルデータを読み出すための制御を行い、記憶手段に蓄積された複数のファイルのディジタルデータを連続した状態のディジタルデータとして外部に出力する。
【００１６】
従って、バッファメモリから外部に出力されるよりも高速の読み出し速度によって記憶手段からバッファメモリにディジタルデータを読み出しているため、複数のファイルを連続して再生する場合であっても、次のファイルに移る瞬間に再生が途切れることはなくなる。
すなわち、頭出し位置において、直前ファイルの再生停止、該当ファイルの再生開始、といったファイルのクローズとオープンの処理のために一定の時間が必要ではあるが、ファイルのクローズとオープンに要する時間と読み出しに要する時間の和がディジタルデータを出力するのに要する時間つまり再生出力に要する時間より短いので、再生が連続的に行なわれることについて何ら問題が生じることはない。
【００１７】
更に、斯かる構成の再生装置では、記録されたディジタルデータのうち所望のディジタルデータから頭出しをさせるために、インデックスマークファイル方式ではなくファイル分割の方式を採用しているため、各機種間での互換性が確保される。
又、例えばインデックスマークファイル方式では設定したインデックス数によって結果的に頭出しの数が制限されてその数を超えて頭出しをすることはできないが、ファイル分割の方式ではマーク情報の数による制限がないので必要な数だけ頭出しを設けることができる。
この結果、各機種間での互換性を確保し、任意のタイミングで任意の数だけ頭出しが可能であって、複数のファイルを連続して再生することが可能な再生装置を実現できるようになる。
【００１８】
（３）請求項３記載の発明は、入力される信号をディジタルデータとしてファイル形式で記録すると共に、記憶手段に記録されたファイル形式のディジタルデータを再生出力する記録再生装置であって、ディジタルデータを複数のファイルとして蓄積する記憶手段と、記録時には入力される信号をディジタルデータとして一時的に蓄積すると共に、再生時には前記記憶手段から読み出されたディジタルデータを一時的に蓄積するバッファメモリと、記録時にディジタルデータを任意のタイミングで区切るための分割の入力がなされる操作入力手段と、前記バッファメモリに一時的に蓄積されたディジタルデータをファイルとして前記記憶手段に蓄積させるための制御を記録時に行うと共に、前記記憶手段に蓄積された複数のファイル形式のディジタルデータを前記バッファメモリに一時的に蓄積させて所定の速度で外部に出力するための制御を再生時に行う制御手段と、を備え、前記制御手段は、前記バッファメモリに蓄積された連続して入力されるディジタルデータについて、前記操作入力手段からの分割操作のタイミングに応じて分割されたファイルとなるように、前記バッファメモリに入力されるよりも高速の書き込み速度によって前記記憶手段に蓄積させるための制御を記録時に行うと共に、前記記憶手段に蓄積された複数のファイルのディジタルデータが連続した状態のディジタルデータとして外部に出力されるように、前記バッファメモリから外部に出力されるよりも高速の読み出し速度によって前記記憶手段から前記バッファメモリにディジタルデータを読み出すように制御を再生時に行う、ことを特徴とする記録再生装置である。
【００１９】
本発明の斯かる構成の記録再生装置では、バッファメモリに蓄積された連続して入力されるディジタルデータについて、バッファメモリに入力されるよりも高速の書き込み速度によって記憶手段に蓄積させるための制御を行いながら、操作入力手段からの分割操作のタイミングに応じて分割されたファイルとなるように制御が行なわれる。
【００２０】
又、斯かる構成の記録再生装置では、バッファメモリから外部に出力されるよりも高速の読み出し速度によって記憶手段からバッファメモリにディジタルデータを読み出すための制御を行い、記憶手段に蓄積された複数のファイルのディジタルデータを連続した状態のディジタルデータとして外部に出力する。
【００２１】
従って、バッファメモリに入力されるよりも高速の書き込み速度によって記憶手段に蓄積させるための制御を行って、分割操作のタイミングに応じて分割されたファイルとしているため、連続した信号が入力されている場合でも、記録に欠落部分が生じることがない。
すなわち、頭出し位置において、直前ファイルの記録停止、該当ファイルの記録開始、といったファイルのクローズとファイルのオープンの処理のために一定の時間が必要ではあるが、ファイルのクローズとオープンに要する時間とディジタルデータの書き込みに要する時間の和がディジタルデータの入力に要する時間よりも短いため、記録が連続的に行なわれることについて何ら問題が生じることはない。
【００２２】
他方、バッファメモリから外部に出力されるよりも高速の読み出し速度によって記憶手段からバッファメモリにディジタルデータを読み出しているため、複数のファイルを連続して再生する場合でも、次のファイルに移る瞬間に再生が途切れることはなくなる。
すなわち、頭出し位置において、直前ファイルの再生停止、該当ファイルの再生開始、といった処理のために一定の時間が必要ではあるが、ファイルのクローズとオープンに要する時間とディジタルデータの読み出しに要する時間の和がディジタルデータの出力に要する時間よりも短いため、再生が連続的に行なわれることについて何ら問題が生じることはない。
【００２３】
更に、斯かる構成の記録再生装置では、記録されたディジタルデータのうち所望のディジタルデータから頭出しをさせるために、インデックスマークファイル方式ではなくファイル分割の方式を採用しているため、各機種間での互換性が確保される。
又、例えばインデックスマークファイル方式では設定したインデックス数によって結果的に頭出しの数が制限されてその数を超えて頭出しをすることはできないが、ファイル分割の方式ではマーク情報の数による制限がないので必要な数だけ頭出し位置を設けることができる。
この結果、各機種間での互換性を確保し、連続した記録を行いつつ、任意のタイミングで任意の数だけ頭出しを可能にし、更には、複数のファイルを連続して再生することが可能な記録再生装置を実現できるようになる。
【００２４】
【発明の実施の形態】
以下に、図面に基づいて、本発明の実施の形態例の記録装置及び再生装置並びに記録再生装置を詳細に説明する。
【００２５】
〈記録装置及び再生装置並びに記録再生装置の構成〉
図１は、記録と再生との両方を行える記録再生装置１００の構成を示すブロック図である。
この図１中、１０１は記録再生装置１００全体の動作を制御するシステムコントローラとしての制御手段である。
この制御手段１０１は、記録時には、バッファメモリに蓄積された連続して入力されるディジタルデータについて、バッファメモリに入力されるよりも高速の書き込み速度によって記憶手段に蓄積させるための制御を行いながら、操作入力手段からの分割操作のタイミングに応じて分割されたファイルとなるように制御を行なう。
【００２６】
又、この制御手段１０１は、再生時には、バッファメモリから外部に出力されるよりも高速の読み出し速度によって記憶手段からバッファメモリにディジタルデータを読み出すように制御を行い、且つ、記憶手段に蓄積された複数のファイルのディジタルデータを連続した状態のディジタルデータとして外部に出力するように制御を行う。
【００２７】
１１０は、各種の操作入力がなされる操作入力手段である。
この操作入力手段１１０では、記録や再生の指示などに加え、ディジタルデータを任意のタイミングで区切るための分割の入力がなされる。
１２０は、装置の各種状態が表示される表示手段であり、操作入力手段１１０で入力される際に必要な各種状態が表示される。
【００２８】
１３０は、メモリコントローラであり、後述するバッファメモリや記憶手段における記録・再生における各種の制御を行う。
１４０は、入力されるアナログの音声信号をディジタルデータに変換するＡ−Ｄ変換部である。
１５０は、入力あるいは出力の際のディジタルデータを一時的に蓄積するバッファメモリである。
このバッファメモリ１５０は、後述する記憶手段へ記録する際、あるいは、記憶手段から再生する際の一時的な蓄積のためのものである。
【００２９】
１６０は、ディジタルデータをファイル形式で蓄積する記憶手段である。
この記憶手段１６０は、記録再生装置１００に固定された状態で内蔵されたものであってもよいし、記録再生装置１００に着脱可能に装着されたものであってもよい。
又、この記憶手段１６０は、半導体メモリ、ハードディスク装置、光磁気ディスク装置のいずれであってもよい。
【００３０】
尚、この記憶手段１６０では、メモリコントローラ１３０により、バッファメモリ１５０に入力されるよりも高速の書き込み速度によって蓄積させるための制御が行われる。
同様に、この記憶手段１６０では、メモリコントローラ１３０により、バッファメモリ１５０から出力されるよりも高速の読み出し速度によって再生させるための制御が行われる。
【００３１】
１７０は、出力するディジタルデータをアナログの音声信号に変換して出力するためのＤ−Ａ変換部である。
尚、以上の図１の説明では記録と再生とを行える記録再生装置の具体例を示したが、Ｄ−Ａ変換部１５０を備えずに記録のみの記録装置、あるいは、Ａ−Ｄ変換部１４０を備えずに再生のみの再生装置も本発明の実施の形態例の一部を構成している。
【００３２】
〈記録再生装置あるいは記録装置の記録動作〉
まず、操作入力手段１１０から記録開始の指示があると、制御手段１０１は各部に記録動作の指示を与える。
図示されない入力端子からマイク入力やライン入力などの音声信号が入力されると、Ａ−Ｄ変換部１４０が所定のサンプリング周波数と量子化ビット数によって、音声信号をディジタルデータに変換する。
例えば、４４．１ｋＨｚのサンプリング周波数、１６ビット量子化、２チャンネルのディジタルデータを生成する。このディジタルデータは、バッファメモリ１５０に蓄積される（図２（ａ）、（ｂ）参照）。
【００３３】
このディジタルデータは、バッファメモリ１５０に一時的に蓄積され、記憶手段１６０の動作タイミングにあわせて、ファイル形式で記憶手段１６０に書き込まれる。
尚、この際、メモリコントローラ１３０は、ファイルのオープン・クローズの時間を捻出するために、バッファメモリ１５０に蓄積されるディジタルデータを、蓄積時よりも高速に読み出して記憶手段１６０に書き込むように、制御を行っている（図２（ｂ）（ｃ）（ｄ）参照）。
【００３４】
音声信号が入力されている途中に操作入力手段１１０から分割の操作入力があると、制御手段１０１がこの旨を検出し、メモリコントローラ１３０に分割記録の指示を与える。
ここで、メモリコントローラ１３０は、バッファメモリ１５０から記憶手段１６０へのファイルＮの書き込みについて、分割の操作のタイミングの部分のディジタルデータの書き込みが完了した時点で中断し、記憶手段１６０に書き込んでいたファイルＮをクローズする（図２（ｄ）参照）。
【００３５】
次に、メモリコントローラ１３０がファイルＮのクローズを完了したら、記憶手段１６０にファイルＮ＋１をオープンする。
そうして、操作入力手段１１０での分割記録の指示の直後からのディジタルデータをファイルＮ＋１として書き込み開始する。
同様にして、音声信号が入力されている途中に、再び操作入力手段１１０から分割の操作入力があると、制御手段１０１がこれを検出し、メモリコントローラ１３０に分割記録の指示を与える。
【００３６】
ここで、メモリコントローラ１３０は、バッファメモリ１５０から記憶手段１６０へのファイルＮ＋１の書き込みについて、分割の操作のタイミングの部分のディジタルデータの書き込みが完了した時点で中断し、記憶手段１６０に書き込んでいたファイルＮ＋１をクローズする（図２（ｄ）参照）。
次に、メモリコントローラ１３０がファイルＮ＋１のクローズを完了したら、記憶手段１６０にファイルＮ＋２をオープンする。
そうして、操作入力手段１１０での分割記録の指示の直後からのディジタルデータをファイルＮ＋２として書き込みを開始する。
【００３７】
このようにして、制御手段１０１とメモリコントローラ１３０の制御により、分割の操作の入力がある毎に、分割の操作のタイミングを開始タイミングとする新たなファイルを生成してディジタルデータの書き込みを行うようにする。
この場合、制御手段１０１とメモリコントローラ１３０の制御により、連続した音声信号を分割記録した複数のファイルを、１つのディレクトリ内に連続番号となるようなファイル名のファイルを生成して記憶手段１６０に蓄積することが、ファイルの管理の上から好ましい。
【００３８】
尚、この際、制御手段１０１とコントローラ１３０の制御によって、ディレクトリエントリと呼ばれる領域にファイル名やファイルサイズ等の情報を書き込んでおくようにする。
又、この種の作業も、上述したファイルのクローズ等と並行して実行する。この場合も、バッファメモリ１５０に蓄積されるディジタルデータを、蓄積時よりも高速に読み出して記憶手段１６０に書き込むようにしているため、空き時間に行うことが可能である。
【００３９】
他方、図３に示す例では、２００３０４１０＿０１というディレクトリ内に、１０００１．ｗａｖ〜１００２０．ｗａｖという２０個のファイルが蓄積され、２００３０４１０＿０２というディレクトリ内に、２０００１．ｗａｖ〜という複数個のファイルが蓄積された様子を例示している。
尚、ｗａｖとは、
ここで、ディレクトリに名称（年月日）や時刻などを用いることが好ましく、ファイル名はディレクトリ内で連番にすることが管理の上で望ましい。
しかし、これに限定されるものではない。
【００４０】
従って、バッファメモリ１５０に入力されるよりも高速の書き込み速度によって記憶手段１６０に蓄積させるための制御を行って、分割操作のタイミングに応じて分割されたファイルとしているため、連続した信号が入力されている場合でも、記録に欠落部分が生じることがない。
すなわち、頭出し位置において、直前ファイルの記録停止、該当ファイルの記録開始、といったファイルのクローズとファイルのオープンの処理のために一定の時間が必要であるが、ファイルのクローズとオープンに要する時間と読み出しに要する時間と信号が連続的に入力されていることに何ら問題が生じることはない。
【００４１】
更に、この記録装置では、頭出しのために、インデックスマークファイル方式ではなく、ファイル分割方式を採用しているため、各機種間での互換性が確保される。
又、インデックスマークファイル方式のように頭出しのためのマークの数を予め設定しているために結果的に頭出しの数に制限が生じるが、この記録装置ではファイル分割の方式を採用しているので所望の数だけ頭出し位置を設けることができる。
この結果、各機種間での互換性を確保し、連続した記録を行ないながら、任意のタイミングで任意の数だけ頭出しを可能にする記録装置を実現できるようになる。
【００４２】
〈記録再生装置あるいは再生装置の再生動作〉
ここでは、再生動作として複数ファイルの連続動作について、先に説明を行なう。
ディジタルデータのファイルが既に記憶手段１６０に蓄積されている場合に、操作入力手段１１０から再生開始（連続再生開始）の指示があると、制御手段１０１は各部に記録動作の指示を与える。
【００４３】
尚、この場合、操作入力手段１１０に具体的なファイル名の入力があればその入力されたファイル名のファイルを、もしファイル名の入力がなければ番号の若い（記録時刻の早い）ファイルを、記憶手段１６０からオープンし、読み出してバッファメモリ１５０にコピーした後にクローズする（図４（ａ）参照）。
又、ファイルのオープンとクローズの時間を捻出しつつ連続再生動作を可能にするために、メモリコントローラ１３０は、記憶手段１６０に蓄積されるディジタルデータを通常の速度の音声出力時の要求速度よりも高速に読み出してバッファメモリ１５０にコピーするように、制御を行っている（図４（ａ）（ｂ）（ｃ）参照）。
【００４４】
ここでは、メモリコントローラ１３０は、記憶手段１６０にてファイルＭをオープンし、このファイルＭを読み出してバッファメモリ１５０にコピーした後にクローズする。
そうして、メモリコントローラ１３０は、バッファメモリ１５０にあるファイルＭを通常の速度にてＤ−Ａ変換部１７０に出力させる。このことにより、Ｄ−Ａ変換部１７０からは、記録時と同じ通常の速度で音声信号が出力される。
【００４５】
他方、メモリコントローラ１３０は、バッファメモリ１５０からファイルＭを出力している間に、ファイルＭの次のファイルＭ＋１をオープンし始め、このファイルＭ＋１を読み出してバッファメモリ１５０にコピーし始める。
又、メモリコントローラ１３０は、バッファメモリ１５０からファイルＭの出力が終了すると同時に、バッファメモリ１５０にあるファイルＭ＋１を通常の速度にてＤ−Ａ変換部１７０に出力させる。
【００４６】
こうすることによって、記憶手段１６０に蓄積された複数のファイルが連続した状態で、欠落することなく再生されることになる。
従って、バッファメモリ１５０から外部に出力されるよりも高速の読み出し速度によって記憶手段１６０からバッファメモリ１５０にディジタルデータを読み出しているため、複数のファイルを連続して再生する場合にも、次のファイルに移る瞬間に再生が途切れるということは生じない。
【００４７】
すなわち、頭出し位置において、直前ファイルの再生停止、該当ファイルの再生開始、といったファイルのクローズとオープンの処理のために一定の時間が必要であるが、ファイルのクローズとオープンに要する時間と読み出しに要する時間の和が再生出力に要する時間よりも短いので、連続的に再生されるということについて何ら問題が生じることはない。
更に、この再生装置では、頭出しのために、インデックスマークファイル方式ではなく、ファイル分割方式を採用しているため、各機種間での互換性が確保される。
又、インデックスマークファイル方式のようなマーク情報の数の制限にも関係がなく、必要数の頭出し位置の再生をすることができる。
【００４８】
この結果、各機種間での互換性を確保しつつ、任意のタイミングの頭出しが可能であり、複数のファイルを連続して再生することが可能な再生装置を実現できるようになる。
尚、以上の場合、最初に特定のファイル名の指定が操作入力手段１１０になされていれば、その指定されたファイルが頭出しされた状態となり、その後は連続して再生されることになる。
【００４９】
他方、特定のファイル名の指定が操作入力手段１１０になされ、かつ、単独再生の指示がなされていれば、その指定されたファイルが頭出しされた状態で、そのファイルのみが再生されることになる。
尚、以上の実施の形態例では、音声信号をｗａｖｅ形式のディジタルデータとして記憶手段１６０に蓄積する例を示したが、データ形式はこれに限定されるものではない。
すなわち、他の形式のディジタルデータあってもよいし、又、圧縮されたディジタルデータとしてもよい。
【００５０】
又、上述した実施の形態例の記録装置及び再生装置並びに記録再生装置は、音声信号に関してだけではなく、映像信号に関しても適用することが可能であり、同様の効果を得ることができる。
【００５１】
【発明の効果】
上記実施の形態例と共に詳細に説明したように、この記録装置及び再生装置並びに記録再生装置によれば、以下のような効果が得られる。
（１）請求項１記載の記録装置の発明では、バッファメモリに蓄積された連続して入力されるディジタルデータについて、バッファメモリに入力されるよりも高速の書き込み速度によって記憶手段に蓄積させるための制御を行いつつ、操作入力手段からの分割操作のタイミングに応じて分割されたファイルとなるようにする。
従って、バッファメモリに入力されるよりも高速の書き込み速度によって記憶手段に蓄積させるための制御を行って、分割操作のタイミングに応じて分割されたファイルとしているため、連続した信号が入力されている場合でも、記録に欠落部分が生じることがない。
すなわち、頭出し位置において、直前ファイルの記録停止、該当ファイルの記録開始、といったファイルのクローズとファイルのオープンの処理のために一定の時間が必要であっても何ら問題は生じない。
【００５２】
更に、この記録装置では、頭出しのために、インデックスマークファイル方式ではなく、ファイル分割方式としているため、各機種間での互換性が確保される。
又、インデックスマークファイル方式のようなマーク情報の数の制限にも関係がなく、必要数の頭出し位置を設けることができる。
この結果、各機種間での互換性を確保し、連続した記録をなしつつ、任意のタイミングの頭出しを可能にする記録装置を実現できるようになる。
【００５３】
（２）請求項２記載の再生装置の発明では、バッファメモリから外部に出力されるよりも高速の読み出し速度によって記憶手段からバッファメモリにディジタルデータを読み出すための制御を行い、記憶手段に蓄積された複数のファイルのディジタルデータを連続した状態のディジタルデータとして外部に出力する。
従って、バッファメモリから外部に出力されるよりも高速の読み出し速度によって記憶手段からバッファメモリにディジタルデータを読み出しているため、複数のファイルを連続して再生する場合にも、次のファイルに移る瞬間に再生が途切れることはなくなる。すなわち、頭出し位置において、直前ファイルの再生停止、該当ファイルの再生開始、といった処理のために一定の時間が必要であっても何ら問題は生じない。
【００５４】
更に、この再生装置では、頭出しのために、インデックスマークファイル方式ではなく、ファイル分割方式としているため、各機種間での互換性が確保される。
又、インデックスマークファイル方式のようなマーク情報の数の制限にも関係がなく、必要数の頭出し位置の再生をすることができる。
この結果、各機種間での互換性を確保しつつ、任意のタイミングの頭出しが可能であり、複数のファイルを連続して再生することが可能な再生装置を実現できるようになる。
【００５５】
（３）請求項３記載の記録再生装置の発明では、バッファメモリに蓄積された連続して入力されるディジタルデータについて、バッファメモリに入力されるよりも高速の書き込み速度によって記憶手段に蓄積させるための制御を行いつつ、操作入力手段からの分割操作のタイミングに応じて分割されたファイルとなるようにする。
又、バッファメモリから外部に出力されるよりも高速の読み出し速度によって記憶手段からバッファメモリにディジタルデータを読み出すための制御を行い、記憶手段に蓄積された複数のファイルのディジタルデータを連続した状態のディジタルデータとして外部に出力する。
【００５６】
従って、バッファメモリに入力されるよりも高速の書き込み速度によって記憶手段に蓄積させるための制御を行って、分割操作のタイミングに応じて分割されたファイルとしているため、連続した信号が入力されている場合でも、記録に欠落部分が生じることがない。すなわち、頭出し位置において、直前ファイルの記録停止、該当ファイルの記録開始、といったファイルのクローズとファイルのオープンの処理のために一定の時間が必要であっても何ら問題は生じない。
又、バッファメモリから外部に出力されるよりも高速の読み出し速度によって記憶手段からバッファメモリにディジタルデータを読み出しているため、複数のファイルを連続して再生する場合にも、次のファイルに移る瞬間に再生が途切れることはなくなる。すなわち、頭出し位置において、直前ファイルの再生停止、該当ファイルの再生開始、といった処理のために一定の時間が必要であっても何ら問題は生じない。
【００５７】
更に、この記録装置では、頭出しのために、インデックスマークファイル方式ではなく、ファイル分割方式としているため、各機種間での互換性が確保される。
又、インデックスマークファイル方式のようなマーク情報の数の制限にも関係なく、必要数の頭出し位置を設けることができる。又、インデックスマークファイル方式のようなマーク情報の数の制限にも関係なく、必要数の頭出し位置の再生をすることができる。
この結果、各機種間での互換性を確保し、連続した記録をなしつつ、任意のタイミングの頭出しを可能にし、更には、複数のファイルを連続して再生することが可能な記録再生装置を実現できるようになる。
【図面の簡単な説明】
【図１】本発明の実施の形態例の記録装置及び再生装置並びに記録再生装置の構成を示す機能ブロック図である。
【図２】本発明の実施の形態例の記録装置もしくは記録再生装置の動作を説明するタイムチャートである。
【図３】本発明の実施の形態例の記録装置もしくは記録再生装置による記録の様子を説明する説明図である。
【図４】本発明の実施の形態例の再生装置もしくは記録再生装置の動作を説明するタイムチャートである。
【符号の説明】
１００  記録再生装置
１０１  制御手段
１１０  操作入力手段
１２０  表示手段
１３０  メモリコントローラ
１４０  Ａ−Ｄ変換部
１５０  バッファメモリ
１６０  記憶手段
１７０  Ｄ−Ａ変換部
【図１】
2004319056.tif 000003
【図２】
2004319056.tif 000004
【図３】
2004319056.tif 000005
【図４】
2004319056.tif 000006